(57)【特許請求の範囲】
【請求項１】
光波長多重伝送装置間を少なくとも２本の光ファイバーケーブルで接続し、波長の異なる複数の光信号を前記光波長多重伝送装置によって波長多重して前記光ファイバーケーブルに送信し、前記波長多重された光信号を前記光波長多重伝送装置によって受信して波長の異なるそれぞれの光信号に分離する光伝送方法において、
前記光波長多重伝送装置は、送出される前記光信号を検出する送出光検出工程と、
入力される前記光信号を検出する入力光検出工程と、
前記入力光検出工程で前記光信号が検出されず、かつ前記送出光検出工程で前記光信号が検出されると、前記光信号の送出を抑止する抑止工程とを含むことを特徴とする光伝送方法。
【請求項２】
前記光波長多重伝送装置は、ある波長の前記光信号を所定波長の光信号に変換する波長変換部と、前記所定波長の光信号を前記ある波長の光信号に逆変換する波長逆変換部とを有し、
前記送出光検出工程では、前記波長変換部から送出される前記光信号を検出し、前記入力光検出工程では、前記波長逆変換部に入力される前記光信号を検出し、前記抑止工程では、前記波長変換部からの光信号の送出を抑止することを特徴とする請求項１に記載の光伝送方法。
【請求項３】
前記光波長多重伝送装置は、ある波長の前記光信号を所定波長の光信号に変換する少なくとも２つの波長変換部と、前記所定波長の光信号を前記ある波長の光信号に逆変換する少なくとも２つの波長逆変換部と、前記波長変換部からの波長の異なる複数の光信号を波長多重して前記光伝送路に送信する波長多重部と、前記光信号を受信し、当該光信号を前記波長の異なる複数の光信号に波長分離してそれぞれの前記波長逆変換部に出力する多重分離部とをさらに有し、
前記送出光検出工程では、前記波長多重部で受信される前記光信号を検出し、前記入力光検出工程では、前記波長逆変換部に入力される前記光信号を検出し、前記抑止工程では、前記波長変換部からの光信号の送出を抑止することを特徴とする請求項１に記載の光伝送方法。
【請求項４】
前記光波長多重伝送装置は、所定波長の光信号を送信する光送信器と、前記所定波長の光信号を受信する光受信器とを有し、
前記送出光検出工程では、前記光送信器から送出される前記光信号を検出し、前記入力光検出工程では、前記光受信器に入力される前記光信号を検出し、前記抑止工程では、前記光送信器からの光信号の送信を抑止することを特徴とする請求項１に記載の光伝送方法。
【請求項５】
前記光波長多重伝送装置は、所定波長の光信号を送信する光送信器と、前記所定波長の光信号を受信する光受信器と、前記光送信器からの波長の異なる複数の光信号を波長多重して前記光ファイバーケーブルに送信する波長多重部と、前記光信号を受信し、当該光信号を前記波長の異なる複数の光信号に波長分離してそれぞれの前記光受信器に出力する多重分離部とをさらに有し、
前記送出光検出工程では、前記波長多重部で受信される前記光信号を検出し、前記入力光検出工程では、前記光受信器に入力される前記光信号を検出し、前記抑止工程では、前記光送信器からの光信号の送信を抑止することを特徴とする請求項１に記載の光伝送方法。
【請求項６】
前記抑止工程では、特定波長の光信号以外の光信号の送出を抑止し、前記入力光検出工程によって特定の波長が検出されると、全ての光信号の抑止を解除することを特徴とする請求項１〜５のいずれか一つに記載の光伝送方法。
【請求項７】
一方の光波長多重伝送装置によって、各波長光信号を多重化させて、光ファイバーケーブルの一端に入射させるとともに、他方の光波長多重伝送装置によって、前記光ファイバーケーブルの他端から出射される多重化された光信号を取り込ませ、各波長光信号に分離させる光伝送システムにおいて、
前記光ファイバーケーブルから各波長光信号の全てが出射されなくなったとき、前記光ファイバーケーブルが断線したと判断させて、予め設定されている一つ、またはいくつかの波長光信号を除く、他の各波長光信号の生成を停止させながら、前記光ファイバーケーブルの他端から予め設定されている復旧条件を満たす波長光信号が出射されているかどうかをチェックさせ、前記光ファイバーケーブルの他端から前記復旧条件を満たす波長光信号が出射されているとき、前記光ファイバーケーブルの断線復旧が終了していると判定させて、各波長光信号を使用した通信処理を再開させることを特徴とする光伝送システム。
【請求項８】
前記各光波長多重伝送装置は、光送信装置から出射される各波長光信号を多重化させて、各光ファイバーケーブルの一端に入射させる処理、または前記光ファイバーケーブルの他端から出射される、多重化された光信号を取り込んで、各波長光信号に分離させ、光受信装置に入射させる処理のいずれかを行うことを特徴とする請求項７に記載の光伝送システム。
【請求項９】
前記各光波長多重伝送装置の各光受光器または前記光受信装置によって、前記光ファイバーケーブルから各波長光信号の全てが出射されなくなったとき、前記光ファイバーケーブルが断線したと判断させて、予め設定されている一つ、またはいくつかの波長光信号を除く、他の各波長光信号の生成を停止させながら、前記光ファイバーケーブルの他端から予め設定されている復旧条件を満たす波長光信号が出射されているかどうかをチェックさせ、前記光ファイバーケーブルの他端から前記復旧条件を満たす波長光信号が出射されているとき、前記光ファイバーケーブルの断線復旧が終了していると判定させて、各波長光信号を使用した通信処理を再開させることを特徴とする請求項７または８に記載の光伝送システム。
【請求項１０】
前記各光波長多重伝送装置の多重分離部によって、前記光ファイバーケーブルから各波長光信号の全てが出射されなくなったとき、前記光ファイバーケーブルが断線したと判断させて、予め設定されている一つ、またはいくつかの波長光信号を除く、他の各波長光信号の生成を停止させながら、前記光ファイバーケーブルの他端から予め設定されている復旧条件を満たす波長光信号が出射されているかどうかをチェックさせ、前記光ファイバーケーブルの他端から前記復旧条件を満たす波長光信号が出射されているとき、前記光ファイバーケーブルの断線復旧が終了していると判定させて、各波長光信号を使用した通信処理を再開させることを特徴とする請求項７または８に記載の光伝送システム。
【請求項１１】
前記復旧条件として、前記光ファイバーケーブルの他端から一旦、全ての波長光信号が出射されなくなった後、一つ以上の波長光信号が再度、出射されたとき、前記光ファイバーケーブルの断線復旧が終了していると判定させて、各波長光信号を使用した通信処理を再開させることを特徴とする請求項７〜１０のいずれか一つに記載の光伝送システム。
【発明の詳細な説明】
【０００１】
【発明の属する技術分野】
本発明は、光波長多重伝送装置を使用させて、複数の光信号を波長多重させ、伝送させる光伝送方法およびそのシステムに関する。
【０００２】
【従来の技術】
複数の光信号を波長多重化して、送受信する光伝送システムでは、図６に示す如く、互いに波長が異なる複数の波長光信号を多重化させて、送受信する複数の光波長多重伝送装置（ＷＤＭ装置）１０２ａ、１０２ｂと、これら各光波長多重伝送装置１０２ａ、１０２ｂ間で送受信される光信号の伝送路（光伝送路）となる複数の光ファイバーケーブル１０３ａ、１０３ｂとを備えており、各光波長多重伝送装置１０２ａ、１０２ｂのいずれか、たとえば光波長多重伝送装置１０２ａに送信対象となるある波長λ０の複数の光信号が既存の光送信装置から入力されたとき、これら光信号を所定波長、例えば波長λ０〜λ４の光信号に変換させて、波長多重化させた後、一方の光波長多重伝送装置１０２ａ→一方の光ファイバーケーブル１０３ａ→光波長多重伝送装置１０２ｂなる経路で、他方の光波長多重伝送装置１０２ｂに伝送させるとともに、光信号を波長毎に分離させて、ある波長の光信号に戻させ、これらの光信号を出力させる。
【０００３】
各光波長多重伝送装置１０２ａ、１０２ｂはぞれぞれ、入力されたある波長λ０の光信号を予め設定されている所定波長λｉ（但し、ｉは０を含む１、…、ｎのいずれか）の光信号に変換する複数のトランスポンダ部（ＴＲＰ−ＴＰ）１０４と、これら各トランスポンダ部１０４から出力される、互いに波長が異なる複数の光信号（波長光信号）を波長多重化させて各光ファイバーケーブル１０３ａ、１０３ｂのいずれかに入射させる波長多重部（ＭＵＸ）１０５と、各光ファイバーケーブル１０３ａ、１０３ｂのいずれかから出射される波長多重化された光信号を各波長毎に分離して、複数の光信号（波長光信号）にする多重分離部（ＤＥＭＵＸ）１０６と、この多重分離部１０６から出射される、所定波長λｉ（但し、ｉは１、…、ｎのいずれか）の各波長光信号をぞれぞれ、ある波長λ０の光信号に変換して出力する複数のリトランスポンダ部（ＴＲＰ−ＲＰ）１０７とを備えており、このある波長λ０の複数の光信号が入力されたとき、これら光信号を所定波長の光信号に変換させて、多重化させた後、各光ファイバーケーブル１０３ａ、１０３ｂのいずれかに入射させ、また各光ファイバーケーブル１０３ａ、１０３ｂのいずれかから波長多重化された光信号が出射されているとき、この光信号を各波長毎に分離させて、複数の光信号にさせた後、ある波長λ０の光信号に変換させて、既存の光受信装置に出力させる。
【０００４】
【発明が解決しようとする課題】
ところで、このような光波長多重伝送装置１０２ａ、１０２ｂを使用した従来の光伝送システム１０１では、各光波長多重伝送装置１０２ａ、１０２ｂによって生成される各波長光信号の強度（光パワー）が人の眼などに悪影響を与えない程度の強さになっているときでも、各光波長多重伝送装置１０２ａ、１０２ｂから複数の波長光信号が多重化された光信号が出射されることから、光ファイバーケーブル１０３ａ、１０３ｂが断線したとき、破断面から強い光信号が出射されて、人の眼などに悪影響を与えてしまうおそれがあった。
【０００５】
そこで、このような問題を解決する方法として、各光波長多重伝送装置１０２ａ、１０２ｂ内に、監視情報光信号（ＯＳＣ）を生成する監視情報光信号発生部（図示は省略する）と、この監視情報光信号発生部から出力される監視情報光信号と波長多重部１０５から出力される、多重化された光信号とを多重化させて各光ファイバーケーブル１０３ａ、１０３ｂのいずれかに送出する多重化部（図示は省略する）と、各光ファイバーケーブル１０３ａ、１０３ｂのいずれかを介して供給される光信号を複数の波長光信号と監視情報光信号とに分離する分離部（図示は省略する）と、この分離部によって他の各光信号と分離された監視情報光信号の有無を検知する監視情報光信号検知部（図示は省略する）とを設け、各光波長多重伝送装置１０２ａ、１０２ｂの監視情報光信号発生部、多重化部を動作させて、各光ファイバーケーブル１０３ａ、１０３ｂのいずれかに監視情報光信号を送出させながら、分離部、監視情報光信号検知部を動作させて、各光ファイバーケーブル１０３ａ、１０３ｂのいずれかを介して供給された光信号に監視情報光信号が多重化されているかどうかをチェックさせ、これが検知されていないとき、光ファイバケーブル１０３ａまたは光ファイバーケーブル１０３ｂが断線したと判断させて、各光波長多重伝送装置１０２ａ、１０２ｂに光信号の出力を停止させる方法が多数、提案されている。
【０００６】
しかしながら、このような方法では、各光波長多重伝送装置１０２ａ、１０２ｂ内に、監視情報光信号発生部、多重化部、分離部、監視情報光信号検知部を設けなければならないことから、各光波長多重伝送装置１０２ａ、１０２ｂ全体が大型化してしまうのみならず、コスト高になってしまうという問題があった。
【０００７】
本発明は、上記に鑑みてなされたものであって、監視情報光信号発生部、多重化部、分離部、監視情報光信号検知部などのハードウェアを使用させることなく、光ファイバーケーブルが断線したとき、多重化された光信号の送出を停止させて、断線した光ファイバーケーブルの断面から強い光信号が出射されないようにさせることができるとともに、予め設定されている復旧条件が満たされたとき、断線した光ファイバーケーブルの修復が終了したと判断させて、多重化された光信号の送出を再開させることができ、これによって高い安全性を確保させながら、光ファイバーケーブルの復旧とともに、通信を再開させることができる光伝送方法およびそのシステムを提供することを目的としている。
【０００８】
また、本発明は、監視情報光信号発生部、多重化部、分離部、監視情報光信号検知部などのハードウェアを使用させることなく、光ファイバーケーブルが断線したとき、光送信装置から出射される各波長光信号の取り込み処理、多重化処理、光ファイバーケーブルに対する出射処理などを停止させ、断線した光ファイバーケーブルの断面から強い光信号が出射されないようにさせることができるとともに、予め設定されている復旧条件が満たされたとき、断線した光ファイバーケーブルの修復が終了したと判断させて、光送信装置から出射される各波長光信号の取り込み処理、多重化処理、光ファイバーケーブルに対する出射処理などを再開させることができる光伝送方法およびそのシステムを提供することを目的としている。
【０００９】
また、本発明は、監視情報光信号発生部、多重化部、分離部、監視情報光信号検知部などのハードウェアを使用させることなく、システムに設けられている各光受光器または光受信装置によって、光ファイバーケーブルの断線時に、多重化された光信号の送出を停止させ、断線した光ファイバーケーブルの断面から強い光信号が出射されないようにさせることができるとともに、予め設定されている復旧条件が満たされたとき、断線した光ファイバーケーブルの修復が終了したと判断させて、多重化された光信号の送出を再開させることができ、これによってシステム全体のコストを低く抑えさせ、かつ高い安全性を確保させながら、光ファイバーケーブルの復旧とともに、通信を再開させることができる光伝送方法およびそのシステムを提供することを目的としている。
【００１０】
また、本発明は、監視情報光信号発生部、多重化部、分離部、監視情報光信号検知部などのハードウェアを使用させることなく、システムに設けられている多重分離部によって、光ファイバーケーブルの断線時に、多重化された光信号の送出を停止させ、断線した光ファイバーケーブルの断面から強い光信号が出射されないようにさせることができるとともに、予め設定されている復旧条件が満たされたとき、断線した光ファイバーケーブルの修復が終了したと判断させて、多重化された光信号の送出を再開させることができ、これによってシステム全体のコストを低く抑えさせ、かつ高い安全性を確保させながら、光ファイバーケーブルの復旧とともに、通信を再開させることができる光伝送方法およびそのシステムを提供することを目的としている。
【００１１】
また、本発明は、監視情報光信号発生部、多重化部、分離部、監視情報光信号検知部などのハードウェアを使用させることなく、光ファイバーケーブルが断線したとき、これを確実に検知させて、多重化された光信号の送出を停止させ、断線した光ファイバーケーブルの断面から強い光信号が出射されないようにさせることができるとともに、光ファイバーケーブルの他端から、予め設定されている一つの波長光信号、またはいくつかの波長光信号が出射されたとき、断線した光ファイバーケーブルの修復が終了したと判断させて、多重化された光信号の送出を再開させることができ、これによって高い安全性を確保させながら、光ファイバーケーブルの復旧とともに、通信を再開させることができる光伝送方法およびそのシステムを提供することを目的としている。
【００１２】
【課題を解決するための手段】
上記の目的を達成するために、この発明（請求項１）では、光波長多重伝送装置間を少なくとも２本の光ファイバーケーブルで接続し、波長の異なる複数の光信号を前記光波長多重伝送装置によって波長多重して前記光ファイバーケーブルに送信し、前記波長多重された光信号を前記光波長多重伝送装置によって受信して波長の異なるそれぞれの光信号に分離する光伝送方法において、前記光波長多重伝送装置は、送出される前記光信号を検出する送出光検出工程と、入力される前記光信号を検出する入力光検出工程と、前記入力光検出工程で前記光信号が検出されず、かつ前記送出光検出工程で前記光信号が検出されると、前記光信号の送出を抑止する抑止工程とを含む光伝送方法が提供される。
【００１３】
この発明によれば、光波長多重伝送装置に入力される前記光信号が検出されない場合、光ファイバーに障害が発生したものと判断し、光信号の送出を抑止することで、高い安全性を確保させるとともに、光ファイバーケーブルの復旧を図る。
【００１４】
この発明（請求項２）では、前記光波長多重伝送装置は、ある波長の前記光信号を所定波長の光信号に変換する波長変換部と、前記所定波長の光信号を前記ある波長の光信号に逆変換する波長逆変換部とを有し、前記送出光検出工程では、前記波長変換部から送出される前記光信号を検出し、前記入力光検出工程では、前記波長逆変換部に入力される前記光信号を検出し、前記抑止工程では、前記波長変換部からの光信号の送出を抑止することを特徴とする。
【００１５】
この発明によれば、請求項１の光伝送方法において、波長逆変換部に入力される前記光信号が検出されない場合、光ファイバーに障害が発生したものと判断し、波長変換部からの光信号の送出を抑止することで、高い安全性を確保させるとともに、光ファイバーケーブルの復旧を図る。
【００１６】
この発明（請求項３）では、前記光波長多重伝送装置は、ある波長の前記光信号を所定波長の光信号に変換する少なくとも２つの波長変換部と、前記所定波長の光信号を前記ある波長の光信号に逆変換する少なくとも２つの波長逆変換部と、前記波長変換部からの波長の異なる複数の光信号を波長多重して前記光伝送路に送信する波長多重部と、前記光信号を受信し、当該光信号を前記波長の異なる複数の光信号に波長分離してそれぞれの前記逆変換部に出力する多重分離部とをさらに有し、前記送出光検出工程では、前記多重分離部で受信される前記光信号を検出し、前記入力光検出工程では、前記波長逆変換部に入力される前記光信号を検出し、前記抑止工程では、前記波長変換部からの光信号の送出を抑止することを特徴とする。
【００１７】
この発明によれば、請求項１の光伝送方法において、波長逆変換部に入力される前記光信号が検出されない場合、光ファイバーに障害が発生したものと判断し、波長変換部からの光信号の送出を抑止することで、高い安全性を確保させるとともに、光ファイバーケーブルの復旧を図る。
【００１８】
この発明（請求項４）では、前記光波長多重伝送装置は、所定波長の光信号を送信する光送信器と、前記所定波長の光信号を受信する光受信器とを有し、前記送出光検出工程では、前記光送信器から送出される前記光信号を検出し、前記入力光検出工程では、前記光受信器に入力される前記光信号を検出し、前記抑止工程では、前記光送信器からの光信号の送信を抑止することを特徴とする。
【００１９】
この発明によれば、請求項１の光伝送方法において、前記光受信器に入力される前記光信号が検出されない場合、光ファイバーに障害が発生したものと判断し、光送信器からの光信号の送信を抑止することで、高い安全性を確保させるとともに、光ファイバーケーブルの復旧を図る。
【００２０】
この発明（請求項５）では、前記光波長多重伝送装置は、所定波長の光信号を送信する光送信器と、前記所定波長の光信号を受信する光受信器と、前記光送信器からの波長の異なる複数の光信号を波長多重して前記光ファイバーケーブルに送信する波長多重部と、前記光信号を受信し、当該光信号を前記波長の異なる複数の光信号に波長分離してそれぞれの前記光受信器に出力する多重分離部とをさらに有し、前記送出光検出工程では、前記多重分離部で受信される前記光信号を検出し、前記入力光検出工程では、前記光受信器に入力される前記光信号を検出し、前記抑止工程では、前記光送信器からの光信号の送信を抑止することを特徴とする。
【００２１】
この発明によれば、請求項１の光伝送方法において、多重分離部で受信される前記光信号が検出されない場合、光ファイバーに障害が発生したものと判断し、光送信器からの光信号の送信を抑止することで、高い安全性を確保させるとともに、光ファイバーケーブルの復旧を図る。
【００２２】
この発明（請求項６）では、前記抑止工程では、特定波長の光信号以外の光信号の送出を抑止し、前記入力光検出工程によって特定の波長が検出されると、全ての光信号の抑止を解除することを特徴とする請求項１〜５のいずれか一つに記載の光伝送方法。
【００２３】
この発明によれば、請求項１〜５のいずれか１つの光伝送方法において、光ファイバーケーブルに発生した断面部分から光信号が外部に放出されても安全なように、特定波長の光信号、例えば波長λ１のみを除く、光信号の送出を抑止してこの特定の光信号の送出を続けることで、波長変換部からの光信号の送出を抑止することで、高い安全性を確保させるとともに、光ファイバーケーブルの復旧を図る。
【００２４】
また、本発明（請求項７）は、一方の光波長多重伝送装置によって、各波長光信号を多重化させて、光ファイバーケーブルの一端に入射させるとともに、他方の光波長多重伝送装置によって、前記光ファイバーケーブルの他端から出射される、多重化された光信号を取り込ませ、各波長光信号に分離させる光伝送システムにおいて、前記光ファイバーケーブルから各波長光信号が出射されなくなったとき、前記光ファイバーケーブルが断線したと判断させて、予め設定されている一つ、またはいくつかの波長光信号を除く、他の各波長光信号の生成を停止させながら、前記光ファイバーケーブルの他端から予め設定されている復旧条件を満たす波長光信号が出射されているかどうかをチェックさせ、前記光ファイバーケーブルの他端から前記復旧条件を満たす波長光信号が出射されているとき、前記光ファイバーケーブルの断線復旧が終了していると判定させて、各波長光信号を使用した通信処理を再開させることを特徴としている。
【００２５】
この発明によれば、一方の光波長多重伝送装置によって、各波長光信号を多重化させて、光ファイバーケーブルの一端に入射させるとともに、他方の光波長多重伝送装置によって、前記光ファイバーケーブルの他端から出射される、多重化された光信号を取り込ませ、各波長光信号に分離させる光伝送システムにおいて、前記光ファイバーケーブルから各波長光信号が出射されなくなったとき、前記光ファイバーケーブルが断線したと判断させて、予め設定されている一つ、またはいくつかの波長光信号を除く、他の各波長光信号の生成を停止させながら、前記光ファイバーケーブルの他端から予め設定されている復旧条件を満たす波長光信号が出射されているかどうかをチェックさせ、前記光ファイバーケーブルの他端から前記復旧条件を満たす波長光信号が出射されているとき、前記光ファイバーケーブルの断線復旧が終了していると判定させて、各波長光信号を使用した通信処理を再開させることにより、監視情報光信号発生部、多重化部、分離部、監視情報光信号検知部などのハードウェアを使用させることなく、光ファイバーケーブルが断線したとき、多重化された光信号の送出を停止させて、断線した光ファイバーケーブルの断面から強い光信号が出射されないようにさせるとともに、予め設定されている復旧条件が満たされたとき、断線した光ファイバーケーブルの修復が終了したと判断させて、多重化された光信号の送出を再開させ、これによって高い安全性を確保させながら、光ファイバーケーブルの復旧とともに、通信を再開させる。
【００２６】
また、本発明（請求項８）は、請求項７に記載の光伝送システムにおいて、前記各光波長多重伝送装置は、光送信装置から出射される各波長光信号を多重化させて、各光ファイバーケーブルの一端に入射させる処理、または前記光ファイバーケーブルの他端から出射される、多重化された光信号を取り込んで、各波長光信号に分離させ、光受信装置に入射させる処理のいずれかを行うことを特徴としている。
【００２７】
この発明によれば、請求項７に記載の光伝送システムにおいて、前記各光波長多重伝送装置によって、光送信装置から出射される各波長光信号を多重化させて、各光ファイバーケーブルの一端に入射させる処理、または前記光ファイバーケーブルの他端から出射される、多重化された光信号を取り込んで、各波長光信号に分離させ、光受信装置に入射させる処理のいずれかを行わせることにより、監視情報光信号発生部、多重化部、分離部、監視情報光信号検知部などのハードウェアを使用させることなく、光ファイバーケーブルが断線したとき、光送信装置から出射される各波長光信号の取り込み処理、多重化処理、光ファイバーケーブルに対する出射処理などを停止させ、断線した光ファイバーケーブルの断面から強い光信号が出射されないようにさせるとともに、予め設定されている復旧条件が満たされたとき、断線した光ファイバーケーブルの修復が終了したと判断させて、光送信装置から出射される各波長光信号の取り込み処理、多重化処理、光ファイバーケーブルに対する出射処理などを再開させる。
【００２８】
また、本発明（請求項９）は、請求項７または８に記載の光伝送システムにおいて、前記各光波長多重伝送装置の各光受光器または前記光受信装置によって、前記光ファイバーケーブルから各波長光信号が出射されなくなったとき、前記光ファイバーケーブルが断線したと判断させて、予め設定されている一つ、またはいくつかの波長光信号を除く、他の各波長光信号の生成を停止させながら、前記光ファイバーケーブルの他端から予め設定されている復旧条件を満たす波長光信号が出射されているかどうかをチェックさせ、前記光ファイバーケーブルの他端から前記復旧条件を満たす波長光信号が出射されているとき、前記光ファイバーケーブルの断線復旧が終了していると判定させて、各波長光信号を使用した通信処理を再開させることを特徴としている。
【００２９】
この発明によれば、請求項７または８に記載の光伝送システムにおいて、前記各光波長多重伝送装置の各光受光器または前記光受信装置によって、前記光ファイバーケーブルから各波長光信号が出射されなくなったとき、前記光ファイバーケーブルが断線したと判断させて、予め設定されている一つ、またはいくつかの波長光信号を除く、他の各波長光信号の生成を停止させながら、前記光ファイバーケーブルの他端から予め設定されている復旧条件を満たす波長光信号が出射されているかどうかをチェックさせ、前記光ファイバーケーブルの他端から前記復旧条件を満たす波長光信号が出射されているとき、前記光ファイバーケーブルの断線復旧が終了していると判定させて、各波長光信号を使用した通信処理を再開させることによって、監視情報光信号発生部、多重化部、分離部、監視情報光信号検知部などのハードウェアを使用させることなく、システムに設けられている各光受光器または光受信装置によって、光ファイバーケーブルの断線時に、多重化された光信号の送出を停止させ、断線した光ファイバーケーブルの断面から強い光信号が出射されないようにさせるとともに、予め設定されている復旧条件が満たされたとき、断線した光ファイバーケーブルの修復が終了したと判断させて、多重化された光信号の送出を再開させ、これによってシステム全体のコストを低く抑えさせ、かつ高い安全性を確保させながら、光ファイバーケーブルの復旧とともに、通信を再開させる。
【００３０】
また、本発明（請求項１０）は、請求項７または８に記載の光伝送システムにおいて、前記各光波長多重伝送装置の多重分離部によって、前記光ファイバーケーブルから各波長光信号が出射されなくなったとき、前記光ファイバーケーブルが断線したと判断させて、予め設定されている一つ、またはいくつかの波長光信号を除く、他の各波長光信号の生成を停止させながら、前記光ファイバーケーブルの他端から予め設定されている復旧条件を満たす波長光信号が出射されているかどうかをチェックさせ、前記光ファイバーケーブルの他端から前記復旧条件を満たす波長光信号が出射されているとき、前記光ファイバーケーブルの断線復旧が終了していると判定させて、各波長光信号を使用した通信処理を再開させることを特徴としている。
【００３１】
この発明によれば、請求項７または８に記載の光伝送システムにおいて、前記各光波長多重伝送装置の多重分離部によって、前記光ファイバーケーブルから各波長光信号が出射されなくなったとき、前記光ファイバーケーブルが断線したと判断させて、予め設定されている一つ、またはいくつかの波長光信号を除く、他の各波長光信号の生成を停止させながら、前記光ファイバーケーブルの他端から予め設定されている復旧条件を満たす波長光信号が出射されているかどうかをチェックさせ、前記光ファイバーケーブルの他端から前記復旧条件を満たす波長光信号が出射されているとき、前記光ファイバーケーブルの断線復旧が終了していると判定させて、各波長光信号を使用した通信処理を再開させることにより、監視情報光信号発生部、多重化部、分離部、監視情報光信号検知部などのハードウェアを使用させることなく、システムに設けられている多重分離部によって、光ファイバーケーブルの断線時に、多重化された光信号の送出を停止させ、断線した光ファイバーケーブルの断面から強い光信号が出射されないようにさせるとともに、予め設定されている復旧条件が満たされたとき、断線した光ファイバーケーブルの修復が終了したと判断させて、多重化された光信号の送出を再開させ、これによってシステム全体のコストを低く抑えさせ、かつ高い安全性を確保させながら、光ファイバーケーブルの復旧とともに、通信を再開させる。
【００３２】
また、本発明（請求項１１）は、請求項７〜１０のいずれか一つに記載の光伝送システムにおいて、前記復旧条件として、前記光ファイバーケーブルの他端から一旦、全ての波長光信号が出射されなくなった後、一つ以上の波長光信号が再度、出射されたとき、前記光ファイバーケーブルの断線復旧が終了していると判定させて、各波長光信号を使用した通信処理を再開させることを特徴としている。
【００３３】
この発明によれば、請求項７〜１０のいずれか一つに記載の光伝送システムにおいて、前記復旧条件として、前記光ファイバーケーブルの他端から一旦、全ての波長光信号が出射されなくなった後、一つ以上の波長光信号が再度、出射されたとき、前記光ファイバーケーブルの断線復旧が終了していると判定させて、各波長光信号を使用した通信処理を再開させることにより、監視情報光信号発生部、多重化部、分離部、監視情報光信号検知部などのハードウェアを使用させることなく、光ファイバーケーブルが断線したとき、これを確実に検知させて、多重化された光信号の送出を停止させ、断線した光ファイバーケーブルの断面から強い光信号が出射されないようにさせるとともに、光ファイバーケーブルの他端から、予め設定されている一つの波長光信号、またはいくつかの波長光信号が出射されたとき、断線した光ファイバーケーブルの修復が終了したと判断させて、多重化された光信号の送出を再開させ、これによって高い安全性を確保させながら、光ファイバーケーブルの復旧とともに、通信を再開させる。
【００３４】
【発明の実施の形態】
以下、この発明にかかる光伝送システムの実施の形態を、添付図面を参照して詳細に説明する。
【００３５】
（実施の形態１）
図１は、本発明による光伝送システムのうち、請求項１〜３，６，７，９，１１に対応する実施の形態１を示すブロック図である。
【００３６】
この図に示す光伝送システム１は、互いに波長が異なる複数の光信号を送受信する複数の光波長多重伝送装置（ＷＤＭ装置）２ａ、２ｂと、これら各光波長多重伝送装置２ａ、２ｂ間で送受信される光信号の伝送路（光伝送路）となる複数の光ファイバーケーブル３ａ、３ｂとを備えており、各光波長多重伝送装置２ａ、２ｂのいずれか、たとえば光波長多重伝送装置２ａの各トランスポンダ部４に送信対象となるある波長の光信号が入力されると、これら光信号をある波長を含め所定のそれぞれ異なる波長の光信号に生成させて、波長多重部５で多重化させた後、一方の光波長多重伝送装置２ａ→一方の光ファイバーケーブル３ａ→光波長多重伝送装置２ｂなる経路で、他方の光波長多重伝送装置２ｂの多重分離部６に伝送させるとともに、ここで各光信号を波長毎に分離させて、リトランスポンダ部７によってある波長の光信号に戻させ、これら光信号を出力させる。また、これらの動作と並行し、各光波長多重伝送装置２ａ、２ｂに多重化された光信号が供給されているかどうかを監視させ、この監視結果に基づき、各光ファイバーケーブル３ａ、３ｂの断線有無、復旧有無を判断させて、多重化された光信号の出力停止、出力再開を制御させる。
【００３７】
各光波長多重伝送装置２ａ、２ｂはぞれぞれ、入力されたある波長λ０の光信号を各波長λｉ（但し、ｉは０を含む、１、…、ｎのいずれかで、この実施例では波長λ１、λ２、λ３、λ４）の光信号に変換する複数のトランスポンダ部（ＴＲＰ−ＴＰ）４と、これら各トランスポンダ部４から出力される各波長の光信号を多重化させて、各光ファイバーケーブル３ａ、３ｂのいずれかに入射させる波長多重部（ＭＵＸ）５と、各光ファイバーケーブル３ａ、３ｂのいずれかを介して供給された光信号を各波長λｉ（但し、ｉは０を含む、１、…、ｎのいずれかで、この実施例では波長λ１、λ２、λ３、λ４）の光信号に分離する多重分離部（ＤＥＭＵＸ）６と、この多重分離部６から各波長の光信号λ１〜λ４が出力されているかどうかを監視し、この監視結果に基づき、各トランスポンダ部４の動作を制御しながら、多重分離部６から出力される各波長λ１〜λ４の光信号をある波長λ０の光信号に変換する複数のリトランスポンダ部（ＴＲＰ−ＲＰ）７とを備えている。
【００３８】
また、ＷＤＭ装置２ａ，２ｂは、図２に示すように、ＤＥＭＵＸ６と各リトランスポンダ部７とを接続される光ファイバー８から光信号を分岐させる光カプラ９と、この分岐された光信号を検出する光検出部１１と、各トランスポンダ部４とＭＵＸ５とを接続させる光ファイバー１２から光信号を分岐させる光カプラ１３と、この分岐された光信号を検出する光検出部１４と、光検出部１１，１４からの検出信号を監視し、この検出した信号に基づいて各トランスポンダ部４からの光信号の出力を抑止する監視制御部１５とをさらに備えている。なお、これらの構成部分は、例えばトランスポンダ部４内またはリトランスポンダ部７内に設けることが可能である。
【００３９】
そして、光送信装置（図示は省略する）から出力されているある波長λ０の複数の光信号をＭＵＸ５によって各波長λ１〜λ４の光信号に変換させて、多重化させた後、各光ファイバーケーブル３ａ、３ｂのいずれか（ＷＤＭ装置２ａでは光ファイバーケーブル３ａ、ＷＤＭ装置２ｂでは光ファイバーケーブル３ｂ）に入射させながら、各光ファイバーケーブル３ａ、３ｂのいずれかを介して供給される波長多重化された光信号を各波長λ１〜λ４毎に分離して、複数の光信号にさせた後、ある波長λ０の光信号に変換させ、光受信装置（図示は省略する）に出力させる。
【００４０】
また、これらの各動作と並行し、各光ファイバーケーブル３ａ、３ｂのいずれか、たとえば光ファイバーケーブル３ａを介して波長多重化された光信号がＤＥＭＵＸ６に供給されなくなったのを、光波長多重伝送装置２ｂのＤＥＭＵＸ６とリトランスポンダ部７間の光ファイバー８に設けた光カプラ９および光検出部１１によって検出したとき、監視制御部１５は、光ファイバーケーブル３ａ（３ｂ）が断線したと判断する。そして、光カプラ１３および光検出部１４によって各トランスポンダ部４に入力する光信号を検出し、各トランスポンダ部４に入力する光信号がある場合には、波長変換に伴う光信号の生成を停止させ、これらトランスポンダ部４から光ファイバーケーブル３ｂ内に送出させていた、波長多重化された光信号の供給を停止させる。この波長多重化された光信号の停止によって、光波長多重伝送装置２ａに、光ファイバーケーブル３ａ，３ｂのいずれかが断線したと判断させ、光波長多重伝送装置２ａのトランスポンダ部４による各光信号の生成を停止させる。
【００４１】
この後、各光波長多重伝送装置２ａ、２ｂによって、光ファイバーケーブル３ａ（３ｂ）の復旧チェック動作を開始させて、断線復旧検知用のトランスポンダ部４として予め設定されている一つのトランスポンダ部４、たとえば波長λ１の光信号を生成するトランスポンダ部４を監視制御部１５によって動作させて、波長λ１の光信号を発生させ、これら光信号を各光ファイバーケーブル３ａ、３ｂ内に入射させながら、これら各光ファイバーケーブル３ａ、３ｂを介して、波長λ１の波長光信号が供給されているかどうかを、光カプラ９および光検出部１１を用いてチェックさせる。このチェック動作で、一旦、供給停止されていた波長λ１の波長の光信号の供給が再開されたとき、監視制御部１５は、各光ファイバーケーブル３ａ、３ｂの復旧が完了したと判断して、トランスポンダ部７からの光信号の送出を開始させ、ＭＵＸ５およびＤＥＭＵＸ６による多重化された光信号の送受信動作を再開させる。
【００４２】
つぎに、図３に示すフローチャートを参照しながら、図１に示した光伝送システム１の動作を説明する。まず、各光ファイバーケーブル３ａ、３ｂが断線してないときには、各光波長多重伝送装置２ａ、２ｂのいずれか、たとえば光波長多重伝送装置２ａに光送信装置からある波長λ０の複数の光信号が入力される毎に、各トランスポンダ部４によってこれら光信号が所定の波長λ１〜λ４の光信号に変換され、さらに波長多重部５によって多重化された後、一方の光波長多重伝送装置２ａ→光ファイバーケーブル３ａ→光波長多重伝送装置２ｂなる経路で、他方の光波長多重伝送装置２ｂに伝送される。
【００４３】
そして、この光波長多重伝送装置２ｂの多重分離部６によって光信号が波長λ１〜λ４毎に分離されて、対応する各リトランスポンダ部７に出力され、ここである波長λ０の光信号に戻され、光受信装置に出力される。
【００４４】
また、これらの各動作と並行し、各光ファイバーケーブル３ａ、３ｂを介して各光波長多重伝送装置２ａ、２ｂのＤＥＭＵＸ６に、波長多重化された光信号が供給されているかどうかを、光カプラ９および光検出部１１によってチェックさせる。すなわち、監視制御部１５は、リトランスポンダ部７の光入力の断が発生したかどうか、光検出部１１からの検出信号の有無によって判断する（ステップ１０１）。
【００４５】
ここで、リトランスポンダ部７の光入力が断の場合には、全てのリトランスポンダ部７で光入力の断が発生したかどうか判断する（ステップ１０２）。
【００４６】
ここで、全てのリトランスポンダ部７での光入力が断でない場合には、監視制御部１５は、光入力の断が発生した光ファイバー８や該当する送信元のトランスポンダ部４側の障害と判断する。そして、該当する自装置のトランスポンダ部４のレーザダイオード（発光源）の発光を停止させ制御を行う（ステップ１０３）。
【００４７】
また、全てのリトランスポンダ部７で光入力の断が発生した場合には、監視制御部１５は、光ファイバーケーブルに障害（断線など）が発生したと判断する。すなわち、これら各光ファイバーケーブル３ａ、３ｂのいずれか、たとえば光ファイバーケーブル３ａを介して波長多重化された光信号が供給されなくなり、予め設定されている時間以上、この状態が続いたとき、光波長多重伝送装置２ｂの各リトランスポンダ部７によって、各光ファイバーケーブル３ａ、３ｂのいずれかに障害（断線など）が発生したと判断する。そして、特定のトランスポンダ部４、上述した波長λ１の光信号を生成するトランスポンダ部４のレーザダイオードのみを発光させ、その他のトランスポンダ部４のレーザダイオードの発光を停止させる制御を行う（ステップ１０４）。
【００４８】
この制御によって、各トランスポンダ部４による光信号の波長変換動作が、特定のトランスポンダ部４を除いて停止させられる。この特定のトランスポンダ部４の動作によって、相手装置の対応するトランスポンダ部、すなわち、上述した波長λ１の光信号を生成するトランスポンダ部４のレーザダイオードのみが発光制御されることとなる。
【００４９】
次に、監視制御部１５は、波長λ１の光信号が入力するリトランスポンダ部７への光入力が断かどうか判断する（ステップ１０５）。
【００５０】
ここで、光波長多重伝送装置２ｂによって、光ファイバーケーブル３ａ、３ｂの復旧チェック動作が開始されて、断線復旧検知用のトランスポンダ部４として予め設定されている一つのトランスポンダ部４、たとえば波長λ１の波長光信号を生成するトランスポンダ部４が動作させられて、波長λ１の波長光信号が生成され、トランスポンダ部４→波長多重部５→光ファイバーケーブル３ｂなる経路で、光ファイバーケーブル３ｂに入射されるとともに、光波長多重伝送装置２ａによって、光ファイバーケーブル３ａ、３ｂの復旧チェック動作が開始されて、断線復旧検知用のトランスポンダ部４として予め設定されている一つのトランスポンダ部４、たとえば波長λ１の波長光信号を生成するトランスポンダ部４が動作させられて、波長λ１の波長光信号が生成され、トランスポンダ部４→波長多重部５→光ファイバーケーブル３ａなる経路で、光ファイバーケーブル３ａに入射される。
【００５１】
そして、光波長多重伝送装置２ｂに設けられている各リトランスポンダ部７によって、光ファイバーケーブル３ａを介して各波長の光信号のうち、特定の波長λ１の光信号が供給されているかどうかがチェックされる。このとき、光ファイバーケーブル３ａを介して全波長光信号の供給されていないことから、光ファイバーケーブル３ａの断線復旧処理が終了していないと判断されて、上述した復旧チェック動作が継続され、波長λ１の波長光信号を生成するトランスポンダ部４が継続して動作される。そして、波長λ１の波長光信号が生成され、トランスポンダ部４→波長多重部５→光ファイバーケーブル３ｂなる経路で、光ファイバーケーブル３ｂに入射される。
【００５２】
また、この動作と並行し、光波長多重伝送装置２ａに設けられた各リトランスポンダ部７によって、光ファイバーケーブル３ｂを介して各波長光信号のうち、どの波長光信号が供給されているかどうかがチェックされている。このとき、光ファイバーケーブル３ｂを介して波長λ１の波長光信号のみが継続的に検知され、他の波長光信号の供給が検知されないことから、光ファイバーケーブル３ａが断線し、この光ファイバーケーブル３ａの断線復旧処理が終了していないと判断されて、上述した復旧チェック動作が継続される。そして、監視制御部１５によって、波長λ１の波長光信号を生成するトランスポンダ部４が継続して動作させられて、波長λ１の波長光信号が生成され、トランスポンダ部４→波長多重部５→光ファイバーケーブル３ａなる経路で、光ファイバーケーブル３ａに入射される。
【００５３】
この後、断線していた光ファイバーケーブル３ａの復旧処理が終了して、光ファイバーケーブル３ａを介して、波長λ１の光信号が光波長多重伝送装置２ｂに入射され、この光波長多重伝送装置２ｂに設けられた波長λ１のリトランスポンダ部７によって、この光信号の供給が検知されると（ステップ１０６）、光ファイバーケーブル３ａの断線が復旧したと判定されて、各トランスポンダ部４が通常モードに戻される。
【００５４】
すなわち、全てのトランスポンダ部４のレーザダイオードが発光するように、監視制御部１５が制御を行い、再びステップ１０１に戻って、リトランスポンダ部７への光入力の断を検出する。
【００５５】
これにより、光波長多重伝送装置２ｂに設けられた各トランスポンダ部４、波長多重部５によって、送信装置から出力される複数の電気信号が対応する各波長の光信号に変換されて、多重化された後、一方の光波長多重伝送装置２ｂ→光ファイバーケーブル３ｂ→光波長多重伝送装置２ａなる経路で、他方の光波長多重伝送装置２ａに伝送される。
【００５６】
そして、光波長多重伝送装置２ａに設けられた各リトランスポンダ部７によって、光ファイバーケーブル３ｂを介して全波長光信号の供給が検知されると、光ファイバーケーブル３ａの断線が復旧したと判定されて、各トランスポンダ部４が通常モードに戻される。
【００５７】
これにより、光波長多重伝送装置２ａに設けられた各トランスポンダ部４、波長多重部５によって、送信装置から出力される複数の電気信号が対応する各波長の光信号に変換されて、多重化された後、一方の光波長多重伝送装置２ａ→光ファイバーケーブル３ｂ→光波長多重伝送装置２ｂなる経路で、他方の光波長多重伝送装置２ｂに伝送される。
【００５８】
このように、この実施の形態１では、各光波長多重伝送装置２ａ、２ｂの各リトランスポンダ部７によって、各光ファイバーケーブル３ａ、３ｂを介して、各波長光信号が供給されているかどうかを監視させ、この監視結果に基づき、各光ファイバーケーブル３ａ、３ｂの断線有無、復旧有無を判断させて、多重化された光信号の出力停止、出力再開を制御させるようにしているので、監視情報光信号発生部、多重化部、分離部、監視情報光信号検知部などのハードウェアを使用させることなく、光ファイバーケーブル３ａ、３ｂが断線したとき、多重化された光信号の送出を停止させて、断線した光ファイバーケーブル、たとえば光ファイバーケーブル３ａの断面から強い光信号が出射されないようにさせることができるとともに、予め設定されている復旧条件が満たされたとき、たとえば光ファイバーケーブルの他端から、予め設定されている一つの波長光信号、または全ての波長光信号が出射されたとき、断線した光ファイバーケーブル３ａの修復が終了したと判断させて、多重化された光信号の送出を再開させることができ、これによって高い安全性を確保させながら、光ファイバーケーブル３ａの復旧とともに、通信を再開させることができる。
【００５９】
また、この実施の形態１では、各光波長多重伝送装置２ａ、２ｂに設けられている各リトランスポンダ部７によって、各光ファイバーケーブル３ａ、３ｂを介して、各波長光信号が供給されているかどうかを監視させ、この監視結果に基づき、各光ファイバーケーブル３ａ、３ｂの断線有無、復旧有無を判断させて、多重化された光信号の出力停止、出力再開を制御させるようにしているので、プログラムの変更のみで、各光ファイバーケーブル３ａ、３ｂの断線有無、復旧有無を判断させることができ、これによってシステム全体のコストを低く抑えさせ、かつ高い安全性を確保させながら、光ファイバーケーブル３ａの復旧とともに、通信を再開させることができる。
【００６０】
（実施の形態２）
図４は、本発明による光伝送システムのうち、請求項４〜６，８，９，１１に対応する実施の形態２を示すブロック図である。なお、この図においては、図６の各部と同じ部分に同じ符号が付してある。
【００６１】
この図に示す光伝送システム２１が図１に示す光伝送システム１と異なる点は、例えばＳＤＨ装置からなる光通信装置２２，２４を光波長多重伝送装置（ＷＤＭ装置）２ｃ、２ｄに組み合わせて使用する点である。この場合、光波長多重伝送装置（ＷＤＭ装置）２ｃ、２ｄには、複数のトランスポンダ部４、複数のリトランスポンダ部７が不要となる。
【００６２】
この場合には、例えば光波長多重伝送装置２ｃに設けられた波長多重部５が、光通信装置２２に設けられた各光送信器２３から出力される波長λｉ（但し、ｉは０を含む、１、…、ｎのいずれか）の各波長の光信号を多重化させる。そして、光波長多重伝送装置２ｃの波長多重部５→光ファイバーケーブル３ａ→光波長多重伝送装置２ｄの多重分離部６なる経路で、多重化された光信号を送信する。
【００６３】
他方の光波長多重伝送装置２ｄの多重分離部６では、この多重化された光信号を取り込み、波長λｉ（但し、ｉは０を含む、１、…、ｎのいずれか）の各波長光信号に分離させた後、他方の光通信装置２４に設けられた各光受信器２５にそれぞれ出力する。
【００６４】
さらに、この光通信装置２４に設けられた各光送信器２６から出力される波長λｉ（但し、ｉは０を含む、１、…、ｎのいずれか）の各波長の光信号は、光波長多重伝送装置２ｄに設けられた波長多重部５によって、多重化される。そして、光波長多重伝送装置２ｄの波長多重部５→光ファイバーケーブル３ｂ→光波長多重伝送装置２ｃの多重分離部６なる経路で、多重化された光信号を送信する。
【００６５】
光波長多重伝送装置２ｃの多重分離部６では、この多重化された光信号を取り込み、波長λｉ（但し、ｉは０を含む、１、…、ｎのいずれか）の各波長の光信号に分離させた後、光通信装置２２に設けられた各光受信器２７にぞれぞれ出力する。
【００６６】
さらに、これら各光通信装置２２、２４の各光受信器２５、２７に、上述した光ファイバーケーブル３ａ、３ｂの断線検出動作、断線した光ファイバーケーブル３ａ、３ｂの断線復旧検知動作を行わせるようにする。
【００６７】
これにより、たとえばＳＤＨ装置などのように、波長λｉ（但し、ｉは０を含む、１、…、ｎのいずれか）の各波長光信号を授受する複数の光通信装置２２、２４間の通信をサポートさせることができる。
【００６８】
このように、この実施の形態２では、各光波長多重伝送装置２ｃ、２ｄによって、各光通信装置２２、２４の通信をサポートさせながら、各光通信装置２２、２４に設けられた各光受信器２５、２７によって、上述した光ファイバーケーブル３ａ、３ｂの断線検出動作、断線した光ファイバーケーブル３ａ、３ｂの断線復旧検知動作を行わせる。
【００６９】
これにより、この実施例では、監視情報光信号発生部、多重化部、分離部、監視情報光信号検知部などのハードウェアを使用させることなく、光ファイバーケーブル３ａ、３ｂなどが断線したとき、各光通信装置２２、２４から出射される各波長光信号の取り込み処理、多重化処理、各光ファイバーケーブル３ａ、３ｂなどに対する出射処理などを停止させることができる。
【００７０】
これとともに、この実施例では、予め設定されている復旧条件が満たされたとき、たとえば光ファイバーケーブルの他端から、予め設定されている一つの波長の光信号、または全ての波長の光信号が出射されたとき、断線した光ファイバーケーブル３ａの修復が終了したと判断する。そして、この実施例では、各光通信装置２２、２４から出射される各波長光信号の取り込み処理、多重化処理、光ファイバーケーブル３ａ、３ｂなどに対する出射処理などを再開させることができる。
【００７１】
また、この実施の形態２では、各光通信装置２２、２４の各光受信器２５、２７によって、各光ファイバーケーブル３ａ、３ｂを介して、各波長光信号が供給されているかどうかを監視させ、この監視結果に基づき、各光ファイバーケーブル３ａ、３ｂの断線有無、復旧有無を判断させて、多重化された光信号の出力停止、出力再開を制御させるようにしているので、プログラムの変更のみで、各光ファイバーケーブル３ａ、３ｂの断線有無、復旧有無を判断させることができ、これによってシステム全体のコストを低く抑えさせ、かつ高い安全性を確保させながら、光ファイバーケーブル３ａの復旧とともに、通信を再開させることができる。
【００７２】
また、上述した実施の形態１、２では、各光波長多重伝送装置２ａ、２ｂに設けられた各リトランスポンダ部７、各光通信装置２２、２４に設けられた各光受信器２５、２７によって、光ファイバーケーブル３ａ、３ｂの断線検出動作、断線した光ファイバーケーブル３ａ、３ｂの断線復旧検知動作を行わせるようにしている。しかし、この発明はこれに限らず、例えば各光波長多重伝送装置２ａ、２ｂ、２ｃ、２ｄに設けられた多重分離部６に、上述した光ファイバーケーブル３ａ、３ｂの断線検出動作、断線した光ファイバーケーブル３ａ、３ｂの断線復旧検知動作を行わせる機能を設けても良い。
【００７３】
図５は、図１の要部の詳細な構成の他例を示すブロック図である。図において、ＷＤＭ装置２ａ，２ｂは、ＤＥＭＵＸ６と接続される光ファイバーケーブル３ａ（３ｂ）から光信号を分岐させる光カプラ１６と、この分岐された光信号を検出する光検出部１７と、各リトランスポンダ部７と接続される光ファイバー１２から光信号を分岐させる光カプラ９と、この分岐された光信号を検出する光検出部１１と、光検出部１７，１１からの検出信号を監視し、この検出した信号に基づいて各トランスポンダ部４からの光信号の出力を抑止する監視制御部１５とをさらに備えている。
【００７４】
この実施例では、ＤＥＭＵＸ６が受信する光信号の入力断が、光カプラ１６および光検出部１７によって検出されたとき、監視制御部１５は、光ファイバーケーブル３ａ（３ｂ）が断線したと判断する。そして、監視制御部１５は、１つのトランスポンダ部４、すなわち波長λ１を生成するトランスポンダ部４を除き、トランスポンダ部４のレーザダイオードを制御し、光信号の発光を抑止する。
【００７５】
他方のＷＤＭ装置２ａ（２ｂ）では、波長λ１以外の波長を生成するリトランスポンダ部７で光信号の入力が停止したことを、光カプラ９および光検出部１１によって検出されたとき、監視制御部１５は、波長λ１以外の光信号の発光を抑止する。このため、断線した光ファイバーケーブル３ａに放出される光信号は、波長λ１の光信号となり、この断線部から外部に放出されても、光信号のパワーが低いので、光信号のパワーは安全なものとなる。
【００７６】
これにより、システム全体のコストを低く抑えさせ、かつ高い安全性を確保させながら、上述した実施の形態１、２と同様に、監視情報光信号発生部、多重化部、分離部、監視情報光信号検知部などのハードウェアを使用させることなく、光ファイバーケーブル３ａ、３ｂなどが断線したとき、これを検知させて、各光ファイバーケーブル３ａ、３ｂなどに対する光信号の出射処理を停止させることができる。さらに、この実施例では、これととともに、断線した光ファイバーケーブル、たとえば光ファイバーケーブル３ａの修復が終了したとき、これを検知させて、光ファイバーケーブル３ａ、３ｂなどに対する光信号の出射処理を再開させることができる。
【００７７】
【発明の効果】
以上説明したように本発明によれば、本発明にかかる光伝送システムでは、監視情報光信号発生部、多重化部、分離部、監視情報光信号検知部などのハードウェアを使用させることなく、光ファイバーケーブルが断線したとき、多重化された光信号の送出を停止させて、断線した光ファイバーケーブルの断面から強い光信号が出射されないようにさせることができるとともに、予め設定されている復旧条件が満たされたとき、断線した光ファイバーケーブルの修復が終了したと判断させて、多重化された光信号の送出を再開させることができ、これによって高い安全性を確保させながら、光ファイバーケーブルの復旧とともに、通信を再開させることができる。
【００７８】
また、本発明にかかる光伝送システムでは、監視情報光信号発生部、多重化部、分離部、監視情報光信号検知部などのハードウェアを使用させることなく、光ファイバーケーブルが断線したとき、光送信装置から出射される各波長光信号の取り込み処理、多重化処理、光ファイバーケーブルに対する出射処理などを停止させ、断線した光ファイバーケーブルの断面から強い光信号が出射されないようにさせることができるとともに、予め設定されている復旧条件が満たされたとき、断線した光ファイバーケーブルの修復が終了したと判断させて、光送信装置から出射される各波長光信号の取り込み処理、多重化処理、光ファイバーケーブルに対する出射処理などを再開させることができる。
【００７９】
また、本発明にかかる光伝送システムでは、監視情報光信号発生部、多重化部、分離部、監視情報光信号検知部などのハードウェアを使用させることなく、システムに設けられている各光受光器または光受信装置によって、光ファイバーケーブルの断線時に、多重化された光信号の送出を停止させ、断線した光ファイバーケーブルの断面から強い光信号が出射されないようにさせることができるとともに、予め設定されている復旧条件が満たされたとき、断線した光ファイバーケーブルの修復が終了したと判断させて、多重化された光信号の送出を再開させることができ、これによってシステム全体のコストを低く抑えさせ、かつ高い安全性を確保させながら、光ファイバーケーブルの復旧とともに、通信を再開させることができる。
【００８０】
また、本発明にかかる光伝送システムでは、監視情報光信号発生部、多重化部、分離部、監視情報光信号検知部などのハードウェアを使用させることなく、システムに設けられている多重分離部によって、光ファイバーケーブルの断線時に、多重化された光信号の送出を停止させ、断線した光ファイバーケーブルの断面から強い光信号が出射されないようにさせることができるとともに、予め設定されている復旧条件が満たされたとき、断線した光ファイバーケーブルの修復が終了したと判断させて、多重化された光信号の送出を再開させることができ、これによってシステム全体のコストを低く抑えさせ、かつ高い安全性を確保させながら、光ファイバーケーブルの復旧とともに、通信を再開させることができる。
【００８１】
また、本発明にかかる光伝送システムでは、監視情報光信号発生部、多重化部、分離部、監視情報光信号検知部などのハードウェアを使用させることなく、光ファイバーケーブルが断線したとき、これを確実に検知させて、多重化された光信号の送出を停止させ、断線した光ファイバーケーブルの断面から強い光信号が出射されないようにさせることができるとともに、光ファイバーケーブルの他端から、予め設定されている一つの波長光信号、またはいくつかの波長光信号が出射されたとき、断線した光ファイバーケーブルの修復が終了したと判断させて、多重化された光信号の送出を再開させることができ、これによって高い安全性を確保させながら、光ファイバーケーブルの復旧とともに、通信を再開させることができる。
【図面の簡単な説明】
【図１】本発明による光伝送システムのうち、請求項１に対応する実施の形態１を示すブロック図である。
【図２】図１の要部の詳細な構成の一例を示すブロック図である。
【図３】図１に示した光伝送システムの動作を説明するためのフローチャートである。
【図４】本発明による光伝送システムのうち、請求項２に対応する実施の形態２を示すブロック図である。
【図５】図１の要部の詳細な構成の他例を示すブロック図である。
【図６】従来から知られている光伝送システムの一例を示すブロック図である。
【符号の説明】
１，２１  光伝送システム
２ａ，２ｂ，２ｃ，２ｄ  光波長多重伝送装置
３ａ，３ｂ  光ファイバーケーブル
４  トランスポンダ部
５  波長多重部
６  多重分離部
７  リトランスポンダ部
８，１２  光ファイバー
９，１３  光カプラ
１１，１４，１７  光検出部
２２  光通信装置（光送信装置、光受信装置）
２３．２６  光送信器
２４  光通信装置（光送信装置、光受信装置）
２５，２７  光受信器
【図１】
0004460044.tif 000002
【図２】
0004460044.tif 000003
【図３】
0004460044.tif 000004
【図４】
0004460044.tif 000005
【図５】
0004460044.tif 000006
【図６】
0004460044.tif 000007